(57)【特許請求の範囲】
【請求項１】
基板と、この基板に対し垂直に配置されたプッシュスイッチを収納した筐体と、この筐体の外側に上記基板に対し垂直に取り付けられ透孔を有するフロントパネルと、このフロントパネルと上記筐体との間に上記フロントパネルと略平行に設けられて一端に上記フロントパネルの透孔に挿通されたボタン部を有し他端にヒンジ部を有する支持部と、この支持部から上記プッシュスイッチ上へ延出して上記プッシュスイッチを駆動する操作部と、上記ヒンジ部に連設され上記フロントパネルへ固定される固定部を有する押しボタンを備えた押しボタン装置において、上記筐体と操作部とのどちらかに、上記操作部を上方へ移動させる変位手段と、この変位手段を回避する回避手段と、上記操作部の下方への移動を規制する停止手段とを設けたことを特徴とする押しボタン装置。
【請求項２】
変位手段と停止手段とを筐体に先端がＲ形状のリブとこのリブの長手方向に延出した当接面とで一体成形し、回避手段を操作部に貫通穴で構成したことを特徴とする請求項１記載の押しボタン装置。
【請求項３】
変位手段を操作部に円柱ボスで一体成形し、回避手段と停止手段とを筐体に台形形状リブで構成したことを特徴とする請求項１記載の押しボタン装置。
【請求項４】
変位手段を操作部に円柱ボスで一体成形し、回避手段と停止手段とを筐体に台形形状リブとこのリブの後方に延出した当接面とを一体成形で構成したことを特徴とする請求項１記載の押しボタン装置。
【請求項５】
変位手段を筐体に先端がＲ形状のリブで一体成形し、回避手段と停止手段とを操作部に凹穴で構成したことを特徴とする請求項１記載の押しボタン装置。
【発明の詳細な説明】
【０００１】
【発明の属する技術分野】
この発明は、磁気記録再生装置等の電子機器のプッシュスイッチを操作する押しボタン装置に関するものである。
【０００２】
【従来の技術】
図５は、従来の押しボタン装置の構成を示す側断面図、図６は従来の押しボタン装置を有したフロントパネルの組立状態を示す側断面図である。図において、１はフロントパネルで、下端の近傍に軸を有するボス１ａと、このボス１ａから所定距離離れて設けられた複数の透孔１ｂとを有している。２は複数の透孔１ｂにそれぞれ対応して設けられた押しボタンで、フロントパネル１の透孔１ｂに挿通されて突出し前面に意匠部を有するボタン部２ａと、このボタン部２ａを上端近傍に有しフロントパネル１と略平行な支持部２ｂと、この支持部２ｂの下端に連設されたヒンジとして機能する薄肉部２ｃと、この薄肉部２ｃの下端に連設され穴部を有するボス２ｄと、ボタン部２ａから所定距離離れた支持部２ｂの下端でボタン部２ａが設けられた面とは反対の面から垂直に延出して形成された操作部２ｅとを一体成形して構成され、フロントパネル１のボス１ａの軸にボス２ｄの穴部を圧入することにより、フロントパネル１に取り付けられている。３は押しボタン２を有するフロントパネル１が取り付けられる筐体、４は筐体３に収納して取り付けられた基板、５は基板４に垂直に実装され、押しボタン２で操作されるプッシュスイッチである。
【０００３】
次に動作について説明する。押しボタン２のボタン部２ａを押すと、薄肉部２ｃが変形することにより操作部２ｅが一点鎖線で示すように変位して下がり、プッシュスイッチ５を押して操作する。ボタン部２ａから手を離すと、薄肉部２ｃの働きにより押しボタン２は元の位置に復帰する。
【０００４】
また、このように構成された押しボタン装置を有するフロントパネル１の筐体３への組立は、図６に示すように押しボタン２を有するフロントパネル１を図中の矢印方向に移動させることにより行われる。
【０００５】
【発明が解決しようとする課題】
以上のように構成された従来の押しボタン装置は、押しボタン２を一体成形した際に、ヒンジとして機能する薄肉部２ｃが反り等の変形をして、一様でないものが混在することがある。そのために、押しボタン２が図６の破線で示すような状態になって、押しボタン２の操作部２ｅがプッシュスイッチ５より低くなり、フロントパネル１を筐体３に取り付ける際、操作部２ｅの先端がプッシュスイッチ５に当たりプッシュスイッチ５を破壊する。また、薄肉部２ｃの変形が無くても、フロントパネル１を筐体３に取り付ける際、フロントパネル１と押しボタン２との組立のばらつきにより操作部２ｅの先端がプッシュスイッチ５に当たりプッシュスイッチ５を破壊することがあった。
さらに、押しボタン２のボタン部２ａをプッシュスイッチ５が操作された後も押し続けると、薄肉部２ｃに過大の応力がかかり押しボタン２を破損するという問題があった。
【０００６】
この発明は、上記のような問題点を解消するためになされたもので、押しボタンの操作部を上方に変位させることにより、プッシュスイッチの破損が防止できる。
さらに、押しボタンの操作部の下方への移動を停止させることにより、薄肉部にかかる応力を減少させて押しボタンの破損が防止できる押しボタン装置を提供することを目的とする。
【０００７】
【課題を解決するための手段】
この発明に係る押しボタン装置は、基板とこの基板に対し垂直に配置されたプッシュスイッチを収納した筐体およびこの筐体の外側に基板に対し垂直に取り付けられ透孔を有するフロントパネルと、このフロントパネルと筐体との間にフロントパネルと略平行に設けられて一端にフロントパネルの透孔に挿通されたボタン部を有し他端にヒンジ部を有する支持部と、この支持部からプッシュスイッチ上へ延出してプッシュスイッチを駆動する操作部とのどちらかに、操作部を上方へ移動させる変位手段と、この変位手段を回避する回避手段と、操作部の下方への移動を規制する停止手段とを設けたものである。
【０００８】
また、変位手段と停止手段とを筐体に先端がＲ形状のリブとこのリブの長手方向に延出した当接面とで一体成形し、回避手段を操作部に貫通穴で構成したものである。
【０００９】
さらに、変位手段を操作部に円柱ボスで一体成形し、回避手段と停止手段とを筐体に台形形状リブで構成したものである。
さらにまた、変位手段を操作部に円柱ボスで一体成形し、回避手段と停止手段とを筐体に台形形状リブとこのリブの後方に延出した当接面とを一体成形で構成したものである。
【００１０】
また、変位手段を筐体に先端がＲ形状のリブで一体成形し、回避手段と停止手段とを操作部に凹穴で構成したものである。
【００１１】
【発明の実施の形態】
以下、この発明をその実施の形態を示す図面に基づいて具体的に説明する。なお、図において、同一符号は従来のものと同一または相当のものを示す。
【００１２】
実施の形態１．
図１はこの発明の実施の形態１である押しボタン装置を示す側断面図である。図において、１はフロントパネルで下端の近傍に軸を有するボス１ａと、このボス１ａから所定距離離れて設けられた複数の透孔１ｂとを有している。２は押しボタンで、フロントパネル１の透孔１ｂに挿通されて前面に突出したボタン部２ａと、このボタン部２ａを上端近傍に有しフロントパネル１と略平行な支持部２ｂと、この支持部２ｂの下端に連設されヒンジとして機能する薄肉部２ｃと、この薄肉部２ｃの下端に連設され穴部を有するボス２ｄと、ボタン部２ａから所定距離離れた支持部２ｂの下端でボタン部２ａが設けられた面とは反対側の面から垂直に延出して形成された操作部２ｅと、この操作部２ｅに支持部２ｂから所定距離離れて設けられた貫通穴２ｇとを一体成形して構成され、フロントパネル１のボス１ａの軸にボス２ｄの穴部を圧入することにより、フロントパネル１に取り付けられている。３は押しボタン２を有するフロントパネル１が取り付けられる筐体で、押しボタン２の操作部２ｅを上方へ持ち上げ、貫通穴２ｇにはまり込む先端がＲ形状のリブ３ａと、このリブ３ａの長手方向側に操作部２ｅの下方への規制をする当接面３ｂとを一体成形して構成している。４は筐体３に収納して取り付けられた基板、５は基板４に垂直に実装され、押しボタン２で操作されるプッシュスイッチである。
【００１３】
次に動作について説明する。押しボタン２のボタン部２ａを押すと従来例と同様に薄肉部２ｃが変形することにより操作部２ｅが変位して下がり、プッシュスイッチ５を押して操作する。ボタン部２ａから手を離すと、薄肉部２ｃの働きにより押しボタン２は元の位置に復帰する。
【００１４】
このように構成された押しボタン装置を有するフロントパネル１の筐体３への組立については従来例と同様に、押しボタン２を有するフロントパネル１を図６の矢印方向に移動させることにより行われる。この際、押しボタン２の操作部２ｅが筐体３に取り付けられた基板４に実装されたプッシュスイッチ５に当たらないように、筐体３に設けられたリブ３ａに当たり、押しボタン２のヒンジとして機能する薄肉部２ｃの働きにより操作部２ｅを上方に変位させながら筐体３に組み込まれるため、組立時に操作部２ｅがプッシュスイッチ５を破壊することを防止することができる。組立後は、筐体３のリブ３ａが押しボタン２の操作部２ｅに設けられた貫通穴２ｇにはまり込み、押しボタン２の薄肉部２ｃの働きにより、押しボタン２は図１の状態に復帰する。
【００１５】
また、この押しボタン装置においては、筐体３のリブ３ａと一体成形された当接面３ｂが操作部２ｅの下方への変位を規制するので、フロントパネル１の透孔１ｂから飛び出しているボタン部２ａを押し続けても薄肉部２ｃにかかる応力を減少させることができる。
【００１６】
実施の形態２．
図２はこの発明の実施の形態２である押しボタン装置を示す側断面図である。図において、２は押しボタンで、フロントパネル１の透孔１ｂに挿通されて前面に突出したボタン部２ａと、このボタン部２ａを上端近傍に有しフロントパネル１と略平行な支持部２ｂと、この支持部２ｂの下端に連設されヒンジとして機能する薄肉部２ｃと、この薄肉部２ｃの下端に連設され穴部を有するボス２ｄと、ボタン部２ａから所定距離離れた支持部２ｂの下端でボタン部２ａが設けられた面とは反対側の面から垂直に延出して形成された操作部２ｅと、この操作部２ｅに支持部２ｂから所定距離離れ、操作部２ｅと同じ幅の円柱ボス２ｋとを一体成形して構成され、フロントパネル１のボス１ａの軸にボス２ｄの穴部を圧入することにより、フロントパル１に取り付けられている。３は押しボタン２を有するフロントパネル１が取り付けられる筐体で、押しボタン２の円柱ボス２ｋに当接し、操作部２ｅを上方へ持ち上げる台形形状のリブ３ｃを構成している。
【００１７】
次に動作について説明する。押しボタン２のボタン部２ａを押すと従来例と同様に薄肉部２ｃが変形することにより操作部２ｅが変位して下がり、プッシュスイッチ５を押して操作する。ボタン部２ａから手を離すと、薄肉部２ｃの働きにより押しボタン２は元の位置に復帰する。
【００１８】
このように構成された押しボタン装置を有するフロントパネル１の筐体３への組立については従来例と同様に、押しボタン２を有するフロントパネル１を図６の矢印方向に移動させることにより行われる。この際、押しボタン２の操作部２ｅが筐体３に取り付けられた基板４に実装されたプッシュスイッチ５に当たらないように、筐体３に設けられたリブ３ｃに円柱ボス２ｋが先に当たり、押しボタン２の薄肉部２ｃの働きにより操作部２ｅを上方に変位させながら筐体３に組み込まれるため、組立時に操作部２ｅがプッシュスイッチ５を破壊することを防止することができる。組立後は、押しボタン２のヒンジとして機能する薄肉部２ｃの働きにより、押しボタン２は図２の状態に復帰する。
【００１９】
また、この押しボタン装置においては、筐体３の台形形状リブ３ｃの上面部が操作部２ｅの下方への変位を規制するので、フロントパネル１の透孔１ｂから飛び出しているボタン部２ａを押し続けても薄肉部２ｃにかかる応力を減少させることができる。
【００２０】
実施の形態３．
図３はこの発明の実施の形態３である押しボタン装置を示す側断面図である。図において、２は押しボタンで、フロントパネル１の透孔１ｂに挿通されて前面に突出したボタン部２ａと、このボタン部２ａを上端近傍に有しフロントパネル１と略平行な支持部２ｂと、この支持部２ｂの下端に連設されヒンジとして機能する薄肉部２ｃと、この薄肉部２ｃの下端に連設され穴部を有するボス２ｄと、ボタン部２ａから所定距離離れた支持部２ｂの下端でボタン部２ａが設けられた面とは反対側の面から垂直に延出して形成された操作部２ｅと、この操作部２ｅに支持部２ｂから所定距離離れ、操作部２ｅと同じ幅の円柱ボス２ｋとを一体成形して構成され、フロントパネル１のボス１ａの軸にボス２ｄの穴部を圧入することにより、フロントパル１に取り付けられている。３は押しボタン２を有するフロントパネル１が取り付けられる筐体で、押しボタン２の円柱ボス２ｋに当り、操作部２ｅを上方へ持ち上げる台形形状のリブ３ｃと円柱ボス２ｋに当接する当接面３ｅとを一体成形して構成している。
【００２１】
次に動作について説明する。押しボタン２のボタン部２ａを押すと従来例と同様に薄肉部２ｃが変形することにより操作部２ｅが変位して下がり、プッシュスイッチ５を押して操作する。ボタン部２ａから手を離すと、薄肉部２ｃの働きにより押しボタン２は元の位置に復帰する。
【００２２】
このように構成された押しボタン装置を有するフロントパネル１の筐体３への組立については従来例と同様に、押しボタン２を有するフロントパネル１を図６の矢印方向に移動させることにより行われる。この際、押しボタン２の操作部２ｅが筐体３に取り付けられた基板４に実装されたプッシュスイッチ５に当たらないように、筐体３に設けられたリブ３ｃに円柱ボス２ｋが当たり、押しボタン２のヒンジとして機能する薄肉部２ｃの働きにより操作部２ｅを上方に持ち上げながら筐体３に組み込まれるため、組立時に操作部２ｅがプッシュスイッチ５を破壊することを防止することができる。組立後は、押しボタン２のヒンジとして機能する薄肉部２ｃの働きにより、押しボタン２は図３の状態に復帰する。
【００２３】
また、この押しボタン装置においては、筐体３の台形形状リブ３ｃの後方に一体成形された当接面３ｅに押しボタン２の円柱ボス２ｋが当接し、操作部２ｅの下方への変位を規制するので、フロントパネル１の透孔１ｂから飛び出しているボタン部２ａを押し続けても薄肉部２ｃにかかる応力を減少させることができる。
【００２４】
実施の形態４．
図４はこの発明の実施の形態４である押しボタン装置を示す側断面図である。図において、２は押しボタンで、フロントパネル１の透孔１ｂに挿通されて前面に突出したボタン部２ａと、このボタン部２ａを上端近傍に有しフロントパネル１と略平行な支持部２ｂと、この支持部２ｂの下端に連設されヒンジとして機能する薄肉部２ｃと、この薄肉部２ｃの下端に連設され穴部を有するボス２ｄと、ボタン部２ａから所定距離離れた支持部２ｂの下端でボタン部２ａが設けられた面とは反対側の面から垂直に延出して形成された操作部２ｅと、この操作部２ｅに支持部２ｂから所定距離離れて設けられた凹穴２ｉとを一体成形して構成され、フロントパネル１のボス１ａの軸にボス２ｄの穴部を圧入することにより、フロントパル１に取り付けられている。３は押しボタン２を有するフロントパネル１が取り付けられる筐体で、押しボタン２の操作部２ｅを上方へ持ち上げ、凹穴２ｉにはまり込む先端がＲ形状のリブ３ａを一体成形して構成している。
【００２５】
次に動作について説明する。押しボタン２のボタン部２ａを押すと従来例と同様に薄肉部２ｃが変形することにより操作部２ｅが変位して下がり、プッシュスイッチ５を押して操作する。ボタン部２ａから手を離すと、薄肉部２ｃの働きにより押しボタン２は元の位置に復帰する。
【００２６】
このように構成された押しボタン装置を有するフロントパネル１の筐体３への組立については従来例と同様に、押しボタン２を有するフロントパネル１を図６の矢印方向に移動させることにより行われる。この際、押しボタン２の操作部２ｅが筐体３に取り付けられた基板４に実装されたプッシュスイッチ５に当たらないように、筐体３に設けられたリブ３ａが押しボタン２のヒンジとして機能する薄肉部２ｃの働きを利用して操作部２ｅを上方に持ち上げながら筐体３に組み込まれるため、組立時に操作部２ｅがプッシュスイッチ５を破壊することを防止することができる。組立後は、押しボタン２のヒンジとして機能する薄肉部２ｃの働きにより、押しボタン２は図４の状態に復帰する。
【００２７】
また、この押しボタン装置においては、操作部２ｅに設けられた凹穴２ｉに筐体３のリブ３ａがはまり込み、リブ３ａの先端が凹穴２ｉに当たり操作部２ｅの下方への変位を規制するので、フロントパネル１の透孔１ｂから飛び出しているボタン部２ａを押し続けても薄肉部２ｃにかかる応力を減少させることができる。
【００２８】
【発明の効果】
この発明に係る押しボタン装置によれば、基板とこの基板に対し垂直に配置されたプッシュスイッチを収納した筐体およびこの筐体の外側に基板に対し垂直に取り付けられ透孔を有するフロントパネルと、このフロントパネルと筐体との間にフロントパネルと略平行に設けられて一端にフロントパネルの透孔に挿通されたボタン部を有し他端にヒンジ部を有する支持部と、この支持部からプッシュスイッチ上へ延出してプッシュスイッチを駆動する操作部とのどちらかに、操作部を上方へ移動させる変位手段と、この変位手段を回避する回避手段と、操作部の下方への移動を規制する停止手段とを設けたので、フロントパネルの組み込み時のプッシュスイッチ破壊を防止することができるとともに、下方への移動を規制することにより、ヒンジ部にかかる応力を減少させることができる。
【００２９】
また、変位手段と停止手段とを筐体に先端がＲ形状のリブとこのリブの長手方向に延出した当接面とで一体成形し、回避手段を操作部に貫通穴で構成したので、フロントパネルの取り外し作業がスムーズに行うことができるとともに、下方への規制を確実に押さえることができる。
【００３０】
さらに、変位手段を操作部に円柱ボスで一体成形し、回避手段と停止手段とを筐体に台形形状リブで構成したので、剛性の高い押しボタン装置を得ることができる。
【００３１】
さらにまた、変位手段を筐体に先端がＲ形状のリブで形成し、回避手段と停止手段とを操作部に凹穴で構成したので、フロントパネルの取り外し作業がスムーズに行うことができるとともに、剛性の高い押しボタン装置を得ることができる。
【図面の簡単な説明】
【図１】この発明の実施の形態１の押しボタン装置を示す側断面図である。
【図２】この発明の実施の形態２の押しボタン装置を示す側断面図である。
【図３】この発明の実施の形態３の押しボタン装置を示す側断面図である。
【図４】この発明の実施の形態４の押しボタン装置を示す側断面図である。
【図５】従来の押しボタン装置の構成を示す側断面図である。
【図６】従来の押しボタン装置を有したフロントパネルの組立状態を示す側断面図である。
【符号の説明】
１  フロントパネル、１ｂ  透孔、２  押しボタン、２ａ  ボタン部、２ｂ  支持部、２ｃ  薄肉部、２ｄ  ボス、２ｅ  操作部、２ｇ  貫通穴、２ｉ  凹穴、２ｋ  円柱ボス、３  筐体、３ａ，３ｃ  リブ、３ｂ，３ｅ  当接面、４  基板、５  プッシュスイッチ。
【図１】
0003555349.tif 000002
【図２】
0003555349.tif 000003
【図３】
0003555349.tif 000004
【図４】
0003555349.tif 000005
【図５】
0003555349.tif 000006
【図６】
0003555349.tif 000007